(57)【特許請求の範囲】
【請求項１】
ベビーキャリアであって、前方部と、腹部と、ウエストストラップと、２つのショルダーストラップと、を備え、それぞれのショルダーストラップが第１端部および第２端部を備え、それぞれのショルダーストラップの第１端部は、腹部に固定して取り付けられ、第２端部は、前方部に取り付けられ、前方部および腹部は、ウエストストラップに取り付けられ、腹部および前方部は組み合わせで、子供の脚が延びることができる脚開口を有する脚支持具を定め、前記腹部および前方部は、前記ウエストストラップと前記腹部および前方部との間のインターフェースに沿ってウエストストラップに少なくとも部分的に外せるように取り付けられており、前記インターフェースの側部は、（１）第１位置であって、前記脚開口がほぼ腹部の方を向くように、前記脚支持具が前記ウエストストラップにそれぞれの長さに沿って接続される、第１位置と、（２）第２位置であって、脚開口が、子供の脚を座った姿勢で支持するためにほぼ外側に延びるように、前記脚支持具が前記ウエストストラップから少なくとも部分的に外され、子供の脚が、脚開口を通って延び、子供が着用者に背を向けるときに少なくとも部分的に前方に向けられる、第２位置と、の間で選択的に動かせる、ベビーキャリア。
【請求項２】
請求項１に記載のベビーキャリアであって、前方部および腹部の両方に沿った中央部は、ウエストストラップに固定して取り付けられる、ベビーキャリア。
【請求項３】
請求項２に記載のベビーキャリアであって、側部は、締結具である、ジッパー、ボタン、ベルクロ（登録商標）、ホックまたはフック、のうちの１つによってウエストストラップに接続される、ベビーキャリア。
【請求項４】
請求項２に記載のベビーキャリアであって、側部は、少なくとも１つのジッパーによってウエストストラップに取り付けられ、前記ジッパーは、共通の引きひもまたは２つの分離したジッパープラーによってワンステップ操作の１つによって開閉可能である、ベビーキャリア。
【請求項５】
請求項１に記載のベビーキャリアであって、前方部および腹部とウエストストラップとの間の交差部は、２方向から開閉可能なジッパーを備える、ベビーキャリア。
【請求項６】
請求項５に記載のベビーキャリアであって、ジッパーは、２つの止め具を備え、脚開口が、前方部および腹部の両方の２つの側部に沿って延びるようになっている、ベビーキャリア。
【請求項７】
請求項１に記載のベビーキャリアであって、底部をさらに備え、底部は、前方部に固定して取り付けられ、および腹部に取り外し可能に取り付けられ、それが少なくとも２つの位置の間で動かせるようになっている、ベビーキャリア。
【請求項８】
請求項７に記載のベビーキャリアであって、底部の第１位置は、前記底部が、前方部の下部および腹部の下部の外形に従う、低位置であり、底部の第２位置は、距離が、底部と前記前方部および腹部との間に提供される、高位置である、ベビーキャリア。 
【請求項９】
請求項１に記載のベビーキャリアであって、それぞれが第１端部および第２端部を備える２つの介在性ストラップをさらに備え、第１端部は、前方部に縫い合わせられ、第２端部は、ショルダーストラップに取り外し可能に接続される、ベビーキャリア。
【請求項１０】
請求項１に記載のベビーキャリアを後ろ向きシート位置から前向きシート位置に調節する方法であって、前記方法は、前方部および腹部の２つの側部が、ウエストストラップから外されるように、ジッパーを開くことを含み、前向きの体勢で座っているときの子供の脚の支持具を、ベビーキャリアに提供する、方法。
【請求項１１】
請求項１０に記載のベビーキャリアを調節する方法であって、少なくとも１つのジッパーは、共通の引きひもによって作動される、方法。
【請求項１２】
請求項１０に記載のベビーキャリアを調節する方法であって、少なくとも１つのジッパーは、２つの分離したジッパープラーによって作動される、方法。
【請求項１３】
請求項１に記載のベビーキャリアであって、インターフェースの側部は、第１位置から第２位置に共に動く、ベビーキャリア。
【請求項１４】
請求項１に記載のベビーキャリアであって、ショルダーストラップの第２端部は、前方部に外せるように取り付けられる、ベビーキャリア。
【請求項１５】
第１位置と第２位置との間で変えることができるベビーキャリアであって、第１位置では、前記キャリアの中の子供が着用者を向き、第２位置では、子供が着用者に背を向け、前記ベビーキャリアは、
前方部と、腹部と、前方部および腹部の底にある対向する脚支持具であって、前記脚支持具が、子供の脚が延びることができる脚開口を定める、前方部と、腹部と、前方部および腹部の底にある対向する脚支持具と、
前記ベビーキャリアが着用されることができるように前方部と腹部との間で接続される一対のショルダーストラップと、
ウエストベルトであって、前記前方部および腹部と、前記脚支持具は、インターフェースに沿ってウエストベルトに接続されており、少なくとも脚支持具は、ウエストベルトに取り外せるように接続され、脚支持具は、（１）第１位置であって、前記脚開口がほぼ腹部の方を向くように、前記脚支持具が前記ウエストベルトにそれぞれの長さに沿って接続される、第１位置と、（２）第２位置であって、脚開口が、子供の脚を座った姿勢で支持するためにほぼ外側に延びるように、前記脚支持具が前記ウエストベルトから少なくとも部分的に外され、子供の脚が、前記開口を通って延び、子供が着用者に背を向けるときに少なくとも部分的に前方に向けられる、第２位置と、の間でそれぞれ動かせる、ウエストベルトと、
を備える、ベビーキャリア。
【請求項１６】
請求項１５に記載のベビーキャリアであって、脚支持具は、前方部および腹部によって定められる、ベビーキャリア。

【発明の詳細な説明】
【技術分野】
【０００１】
本発明は、キャリングハーネスに関し、主に抱く人の胸部および腹部に対して前向きまたは後向きの体勢の小さな子供を抱くように設計されたキャリングハーネスに関する。
【背景技術】
【０００２】
人間は、いつの時代も、背中でまたは胸部の方に子供を抱いてきた。以前は、子供は、単純な布切れで抱かれることが多かったが、最近は、多くの親達は、子供を近くで抱くために、および同時に手を空けるために、いわゆるベビーキャリアを使用することを選ぶ。多くの子供が抱かれることを好むので、長時間にわたってキャリアに座る傾向があり、子供にも抱く人にも人間工学が重要であることを意味する。
【０００３】
特許文献１では、チャイルドキャリアが記載され、それは、子供が後ろを向く体勢で乗せられるときに、キャリアの座席範囲の幅を変えることができるインサートを備える。より広いシート範囲は、子供のより人間工学的な着座体勢を促進するとされているが、このキャリアの欠点は、インサートが、取り外し可能な部品であり、紛失しやすいことである。さらに、このインサートは、子供が後ろを向く体勢で座っているときにのみ使用することができる。
【０００４】
特許文献２は、調節できるシート高のベビーキャリアを記載している。このベビーキャリアは、抱く人と向き合う子供のために作られ、調節できるシート高を有し、それは、子供が成長したときにも使用することができる。このキャリアの欠点は、子供が前向きの体勢で抱かれることができないことである。
【０００５】
特許文献３は、本明細書で背景技術のさらなる例として言及される別の種類のベビーキャリアを開示している。このベビーキャリアの欠点は、前を向く着座体勢の子供を抱くことが不可能であることである。
【０００６】
上記から、改善の余地があることが理解される。
【先行技術文献】
【特許文献】
【０００７】
【特許文献１】欧州特許公開第２４９１８２５Ａ２号
【特許文献２】国際公開第２０１５／０５３６９６Ａ１号
【特許文献３】国際公開第２０１４／０１１１０２Ａ１号
【発明の概要】
【発明が解決しようとする課題】
【０００８】
本発明の目的は、新しい種類のベビーキャリアを提供することであり、それは、従来技術よりも改善され、上記の欠点を除去または少なくとも軽減する。具体的には、本発明の目的は、前向きでも後向きでも抱かれるときに快適および人間工学的なシート位置を子供に提供するベビーキャリアを、提供することである。これらの目的は、添付の独立請求項に記載の技術によって達成され、それに関連する従属請求項に定められる好ましい実施形態を伴う。
【課題を解決するための手段】
【０００９】
第１態様では、前方部と、腹部と、それぞれが第１端部および第２端部を有する２つのショルダーストラップと、ウエストストラップと、を有するベビーキャリアが提供される。それぞれのショルダーストラップの第１端部は、腹部に固定して取り付けられ、第２端部は、前方部に取り付けられる。前方部および腹部は、ウエストストラップに取り付けられ、腹部および前方部が、ウエストストラップに少なくとも部分的に外せるように取り付けられるようになっている。このベビーキャリアは、腹部とウエストストラップとの間の接続が、部分的に外せることによって調節可能であるという点において、有利である。それは、既存のキャリアが有しないフレキシビリティおよびシートオプションをキャリアに提供する。
【００１０】
一実施形態では、前方部および腹部の両方に沿った中央部は、ウエストストラップに固定して取り付けられ、前方部および腹部の両方に沿った２つの側部は、１つが中央部のそれぞれの側にあり、ウエストストラップに外せるように取り付けられる。これは有利である。シート範囲の幅、および側部の角度を変更することができるので、それはベビーキャリアにフレキシビリティを提供するからである。
【００１１】
一実施形態では、側部は、ジッパーによってウエストストラップに取り付けられ、ジッパーは、共通の引きひもまたは２つの分離したジッパープラーによってワンステップ操作の１つによって開閉可能である。子供を抱くときに、子供を抑える、キャリアで子供の位置を調節する、子供を安心させる等、動向を追うことがたくさんあるので、片方の手だけでジッパーを操作可能であることは、非常に好ましい。分離したジッパープラーによってジッパーを作動させることも好ましい。それは、安価で頑丈な設計であるからである。
【００１２】
側部は、以下の締結手段の１つによってウエストストラップに接続されてよい：ジッパー、ボタン、ベルクロ（登録商標）、ホックまたはフック。これらの締結手段は、確実であるが、簡単な操作しやすい接続を、側部に提供する。
【００１３】
一実施形態では、前方部および腹部がウエストストラップに接続される交差部は、２方向から開閉可能なジッパーを備える。１つの単一ジッパーを取り付けるのは簡単であるので、これはベビーキャリアを製造する上で有利である。それは、従って、それを取り付けるのに費やす作業によっても、１つのジッパーが、長いけれども、２つの短いジッパーよりも安価であるという点においても、経済的である。
【００１４】
別の実施形態では、ジッパーは、２つの止め具を備え、開放が、前方部および腹部の両方の２つの側部に沿って限定されるようになっている。
【００１５】
好ましくは、ベビーキャリアは、底部を有し、その底部は、前方部に固定して取り付けられ、および腹部に取り外し可能に取り付けられ、それが少なくとも２つの位置の間で動かせるようになっている。底部の第１位置は、前記の底部が、前方部の下部および腹部の下部の外形に従う、低位置である。底部の第２位置は、距離が、底部と前方部と腹部との間に提供される、高位置である。調節可能な底部は、年上の（大きい）または年下の（小さい）子供の両方を、心地良さを損なわずに、抱くためのフレキシビリティをキャリアに提供する。
【００１６】
一実施形態では、キャリアは、２つの介在性ストラップを有し、それは、それぞれ第１端部および第２端部を有する。第１端部は、前方部に縫い合わせられ、第２端部は、ショルダーストラップに取り外し可能に接続される。このストラップは、ベビーキャリアの安定性にとって有効である。
【００１７】
第２態様では、後ろ向きシート位置から前向きシート位置にベビーキャリアを調節する方法が、提供される。その方法では、ジッパーは、前方部および腹部の２つの側部が、ウエストストラップから外されるように、開かれ、前向きの体勢で座っているときの子供の脚の支持手段を、ベビーキャリアに提供する。抱かれる子供が、いわゆるカエル姿勢（太ももが地面とほぼ平行であり、膝が臀部とほぼおなじ高さにある）で座ることが、小児科医によって推奨されているので、ベビーキャリアがこのシートオプションを提供することは、有利である。
【００１８】
一実施形態では、ジッパーは、共通の引きひもによって作動される。これは、キャリアが後ろ向きシート位置から前向きシート位置に１回の動作で変えられることができるという点において、有利である。これは、手で多くのものを持ち運ばなければならないことが多い親にとって有用である。
【００１９】
別の実施形態では、ジッパーは、２つの分離したジッパーによって作動される。これは、開／閉が複雑でなく安価である、および頑丈な構造であるという点において、有利である。
【００２０】
発明の実施形態が以下に記載され、添付の図式的図面が参照され、それは、発明概念がどのように実行に移されることができるかの非限定的例を示す。
【図面の簡単な説明】
【００２１】
【図１】後ろ向きシート位置で示される発明の実施形態に従ったベビーキャリアの正面図である。
【図２】後ろ向きシート位置でのベビーキャリアの背面図である。
【図３】折られた前方部を含む後ろ向きシート位置でのベビーキャリアの正面図である。
【図４】後ろ向きシート位置で使用されているベビーキャリアの等角図である。
【図５】低位置でのベビーキャリアの底部の等角図である。
【図６】高位置でのベビーキャリアの底部の等角図である。
【図７】前向きシート位置でのベビーキャリアの正面図である。
【図８】前向きシート位置で使用されているベビーキャリアの等角図である。
【図９】前向きシート位置で使用されているベビーキャリアの等角図である。
【図１０】折り畳まれていないキャップを含むベビーキャリアの正面図である。
【図１１】折り畳まれていないキャップを含む使用されているベビーキャリアの等角図である。
【図１２】ベビーキャリアの実施形態の部分正面図である。
【図１３】図１２と類似している図であり、部分的に開いているジッパーを示す。
【発明を実施するための形態】
【００２２】
以下で、特定の実施形態を、添付図面を参照してさらに十分に説明する発明は、しかしながら、多くの異なる形態で具体化されてよく、本明細書に記載されている実施形態に限定されると解釈されるべきでなく、むしろ、これらの実施形態は、この開示が詳細で完全になるように、および発明の範囲（添付の請求項に定められるような）を当業者に十分に伝えるように、例として提供される。
【００２３】
図１−４では、ベビーキャリア１００が、後向きに座る（つまり抱く人と向き合う）子供用の配置で示されている。キャリア１００は、前方部１０１、腹部１１８、ウエストストラップ１０２および２つのショルダーストラップ１０３ａ，１０３ｂを有する。それは、図５−６に関連してより詳しく説明される底部１０９も有する。それぞれのショルダーストラップ１０３ａ，１０３ｂの第１端１２９ａ，１２９ｂは、腹部１１８の上部に取り付けられ、第２端部１３０ａ，１３０ｂは、バックル１０６ａ，１０６ｂによって前方部１０１の中央部に解放可能に取り付けられる。前方部は、介在性ストラップ１２６ａ，１２６ｂによってショルダーストラップ１０３ａ，１０３ｂにさらに接続される。それぞれの介在性ストラップは、第１端部１２７ａ，１２７ｂおよび第２端部１２８ａ，１２８ｂを有する。第１端部１２７ａ，１２７ｂは、前方部１０１に縫い合わせられ、第２端部は、バックル１０５ａ，１０５ｂによってショルダーストラップ１０３ａ，１０３ｂに取り外し可能に取り付けられる。２つのショルダーストラップ１０３ａ，１０３ｂは、中間ストラップ１０７によって相互接続され、中間ストラップ１０７はバックル１１０によって解放されることができる。
【００２４】
ウエストストラップ１０２は、バックル１０４ａ，１０４ｂによって２箇所で開閉可能である。オプションとして、ウエストストラップ１０２は１箇所のみで開閉可能である。ウエストストラップ１０２の前方部分は、インターフェースＡ，Ｂに沿って前方部１０１の下部にも腹部１１８の下部にも取り付けられる。前方部１０１と、腹部１１８と、ウエストストラップ１０２と、の間のインターフェースの中央部Ａは、縫い付けられまたは縫い合わせられ、それは、従って解放可能ではない。インターフェースの２つの端部Ｂには、しかしながら、ジッパー１１１ａ，１１１ｂが設けられ、その機能は後に記載される。ジッパー１１１ａ，１１１ｂは、閉鎖状態のときに畳んだ織物の内側に、および開いた状態で織物の縁１２５の後ろに、配置され、それらが抱く人をも子供をもいら立たせるまたは傷つけることがないようになっている。ジッパー１１１ａ，１１１ｂのスライダー（図示せず）は、一実施形態では個々の引きひも１１２ａ，１１２ｂそれぞれにも、共通の引きひも１１３にも接続される。共通の引きひも１１３は、それぞれのジッパー１１１ａ，１１１ｂのスライダーから、前方部１０１の織物内を、それがウエストバンド１０２の中心で開口１１４を介して突き出るまで、延びる。別の実施形態（図示せず）では、ジッパーは、個々のスライダー、またはプラー、のみによって動作する。
【００２５】
本明細書に記載のベビーキャリアの全ての実施形態は、縫い合わせられた部分Ａおよび２つの取り外し可能な部分Ｂを有するが、それは、インターフェースＡ，Ｂが、中央で接する２つのジッパーによって提供されることも可能である。この追加的実施形態では、前方部１０１および腹部１１８は、ウエストストラップ１０２から完全に取り外し可能である。これは、例えばキャリア１００を着用するときに有益であり得る。
【００２６】
ジッパー１１１ａ，１１１ｂは、一実施形態では、ウエストストラップ１０２および前方部１０１に取り付けられ、別の実施形態では、それらはウエストストラップ１０２および腹部１１８に取り付けられ、およびさらなるオプションとして、それは、前方部１０１と腹部１１８との間の縫い目に取り付けられてよい。
【００２７】
代替実施形態では、前方部および腹部は、１つの一体部品（図示せず）を備え、ジッパー１１１ａ，１１１ｂは、ウエストストラップ１０２に、およびこの一体部品に取り付けられる。さらに別の実施形態では、中間部（図示せず）が、ウエストストラップ１０２に縫い合わせられる。ジッパー１１１ａ，１１１ｂは、この実施形態では中間部を前方／腹部に接続する。それは、逆であってもよい、すなわち、中間部が前方／腹部に縫い合わせられ、ジッパーが中間部をウエストストラップに接続してもよい。ジッパー１１１ａ，１１１ｂの目的は、前方部および腹部の両方の少なくとも一部をウエストストラップから切り離すことである。腹部１１８および前方部１０１は、従ってウエストストラップ１０２から少なくとも部分的に取り外されることができる。
【００２８】
さらに、ベビーキャリア１００は、前方部１０１にポケット１０８を有し、それはジッパー１０８で閉じられる。これは、図１０および１１に関連してより詳しく説明される。
【００２９】
前方部１０１の上部１２１は、少なくとも２つの位置に折り畳み可能である。例えば図１に示される第１位置では、上部１２１は、上げられ、子供の頭部の支持を提供する。図３では、上部１２１は、子供の頭部がより自由になるように、部分的に下げられる。上部１２１のこの位置は、キャリアによって囲まれる感じがすることを好まない年上の子供に好適であり得る。上部１２１の第３位置は、図７に示され、図７では、それは、完全に折り畳まれ、前を向く体勢で置かれた子供が顔を自由にすることができるようにする。
【００３０】
例えば図４に見られる使用時に、ウエストストラップ１０２は、抱く人のウエスト、または臀部を包む。ショルダーストラップ１０３ａ，１０３ｂは、抱く人の肩から、彼の背中の周囲に、延び、彼の胸部の高さで前方部１０１に行き着き、胸部の高さで、それらは、バックル１０６ａ，１０６ｂによって前方部１０１に解放可能に取り付けられる。子供は、前方部１０１と腹部１１８との間に置かれ、子供の脚が、前方部１０１と腹部１１８との間に形成された開口１２２ａ，１２２ｂを通って延び、ウエストストラップ１０２とほぼ平行に、抱く人のウエストを包み込むようになっている。子供の頭部は、前方部１０１の上部１２１によって支持される。
【００３１】
底部１０９が示されている図５および６を、これから参照する。底部１０９の第１部分１１５は、縫い目１１７によって前方部１０１に縫い付けられる。底部１０９の反対側の対応する部分１１６は、かぎホック接続によって腹部１１８に取り外し可能に取り付けられる。代替として、アタッチメントは、ボタン、ジッパー、ベルクロ・ファスナー（登録商標）、スナップ、ホック、または他の適切な締結手段を、代わりに備え得る。底部１０９の第２部分１１６を縫い目によって腹部１１８に取り付けられるようにし、第１部分１１５を前方部１０１に解放可能に取り付けられるようにすることも、可能である。
【００３２】
解放可能な第２部分１１６によって、底部１０９の高さは、２つの位置の間で変えられることができる。第２部分１１６のホックが第１モードで取り付けられ、図５に示されている、第１の低位置が提供され、図５では、底部１０９は、前方部１０１の下部および腹部１１８の下部の外形に従う。図６に示されている第２の高位置では、第２部分１１６のホックは、別のモードで取り付けられ、底部１０９と、前方部１０１と腹部１１８との間のインターフェースＡ，Ｂと、の間の距離Ｄを提供する。これは、高位置を使用する小さい子供にも、低シート位置を使用する大きい子供にも、適するようにするキャリア１００の適合を提供する。
【００３３】
図７−９では、ベビーキャリア１００は、子供が前方向で座る（すなわち、抱く人と同じ方向を向く）位置に調節される。後ろ向きシート位置からこの前向きシート位置にベビーキャリア１００を調節するために、引きひも１１３が引かれる。これは、ジッパー１１１ａ，１１１ｂを開かせ、２つの側部Ｂをウエストストラップ１０２から外す。外された腹部１１８および前方部１０１は、抱かれる子供の脚のための支持手段１１９ａ，１１９ｂを共に形成する。子供は、従って前を向くときにも、いわゆるカエル姿勢で座っている。
【００３４】
図８−９（囲まれた）に最も良く見られるように、前方部１０１の２つの取り外し可能な端部Ｂが外される（すなわち、ジッパーが開かれる）。外された端部Ｂは、外側に折られ、抱かれる子供の脚は、前方部１０１および腹部１０８によって形成された支持手段１１９ａ，１１９ｂに横たわる。ベビーキャリア１００のこの位置で、子供は、前方部１０１と腹部１１８との間に乗せられるが、抱く人と同じ方向を向く。子供の脚は、開口１２２ａ，１２２ｂを通って延びるが、今や前下方に向けられる。子供の脚の支持は、外された部分Ｂによって提供され、子供が、前を向くときにも、いわゆるカエル姿勢で座っていることを意味する。前方部１０１の上部１２１は、下方に折られ、子供の顔が自由であるおよび彼／彼女が前方を見ることができるようになっている。
【００３５】
図１０および１１を参照し、ベビーキャリア１００は、ポケット１０８が開かれた状態で示されている。このポケット１０８は、折り畳めるキャップ１２０を有し、ここでは折り畳まれていない状態で示されている。キャップ１２０は、前方部１０１の外側でポケット１０８から、および抱く人の方に、広がる。それは、ストラップ１２３ａ，１２３ｂを有し、ストラップ１２３ａ，１２３ｂは、例えばホック１２４ａ，１２４ｂまたは他の適切な締結手段によってショルダーストラップ１０３ａ，１０３ｂに解放可能に取り付けられる。キャップ１２０は、乳幼児の頭部を、例えば雨または日光から保護するために、覆う。ポケット１０８は、一実施形態では、キャップ１２０のみを含むが、別の実施形態では、１つまたは少数の他の小物（おしゃぶりまたはおむつなど）のためのスペースも有する。
【００３６】
ジッパー１１１ａ，１１１ｂは、図１２−１３に示されている別の実施形態では、１つのジッパー１３１に置き換えられてよく、その１つのジッパー１３１は、前方部１０１と、腹部１１８と、ウエストストラップ１０２と、の間の交差部全体にわたって延びる。ジッパー１３１は、この場合両方向から開閉可能である。さらに、それは、２つの止め具１３２を備え、その２つの止め具１３２は、ジッパー１３１の部分のみが開かれることができるように位置する。止め具１３２は、部分Ｂが部分Ａと接するところに位置する。従って、単一ジッパー１３１は、２つの分離したジッパー１１１ａ，１１１ｂと同じ効果および機能性を有する。ベビーキャリア１００を製造する上で１つの単一ジッパー１３１を使用することが好ましい。それは加えやすいからである。
【００３７】
一実施形態では、腹部１１８の高さは、約２０ｃｍである。他の実施形態では、それは、代わりに約１０ｃｍであり得る。
【００３８】
ある態様では、乳幼児が、２つの主な位置で抱かれることができるベビーキャリアが提供され、２つの主な位置は、乳幼児の胸部が抱く人に向かう第１位置と、乳幼児の背中が抱く人に向かう第２位置とである。２つの主な位置間のこの切り替えは、前方部と、腹部と、ウエストストラップと、の間の少なくとも部分的に取り外し可能なインターフェースが設けられているキャリアによって成し遂げられる。
【００３９】
当然のことながら、発明概念は、本命最初の実施形態に限定されず、多くの変更が、添付の「特許請求の範囲」に記載の範囲内で実現可能である。
【図１】
0006763891.tif 000002
【図２】
0006763891.tif 000003
【図３】
0006763891.tif 000004
【図４】
0006763891.tif 000005
【図５】
0006763891.tif 000006
【図６】
0006763891.tif 000007
【図７】
0006763891.tif 000008
【図８】
0006763891.tif 000009
【図９】
0006763891.tif 000010
【図１０】
0006763891.tif 000011
【図１１】
0006763891.tif 000012
【図１２】
0006763891.tif 000013
【図１３】
0006763891.tif 000014